(57)【特許請求の範囲】
【請求項１】
多機能型移動装置であって、
下部モジュール（０１）、中間モジュール（０２）、および上部モジュール（０３）である３つのモジュールから構成され、
これら３つのモジュールは、管状部材（０４）からなる少なくとも３つの垂直部材を有した管状構造から基本的には形成されるとともに、立位でユーザーを移動させる機能を有するスリップ防止円形基部（０５）によって支持され、該管状部材（０４）と連結された複数の装置を有し、
前記下部モジュール（０１）はユーザーを座らせて移動させることができるシートを有する、多機能型移動装置。
【請求項２】
下部モジュール（０１）の下方部分では、前記スリップ防止円形基部（０５）が、キャスター（０６）を有するとともに、電気推進エンジン（０７）と折りたたみ可能でかつ収納可能な足のせ台（１１）とを有しており、
下部モジュール（０１）の上方部分では、管状部材（０４）の内部において、半円を形成する板（０９）を有しており、この板（０９）には、ユーザーのひざの支持および固定を提供するための、２つの小さなキルティングの枠（１０）を有するストレート形状の板（０８）が設けられている、請求項１に記載の多機能型移動装置。
【請求項３】
前記中間モジュール（０２）は、基本的には、腰の安全を確保するように設計された第１の半円形状板（０９Ａ）と、ウエストの安全を確保するように設計され第２の半円形状板（０９Ｂ）とを有する管状部材（０４）から構成されており、
当該多機能型移動装置の前面部分における２つの調整付属品（２０）、（２０Ａ）と、管状部材（０４）に対して固定された安全支持部（１３）と、ユーザーの両手を支持するように適応された管状部材（０４）を含む半円形管（１２）と、を備え、
前記半円形管（１２）は、また、その背面部分において下方に向けられた湾曲部と、より小さな半円形状に形成された枠（１８）と、別のより大きな半円形状に形成された枠（１９）と、を有し、
第２の枠（０９Ａ）に取り付けるようにするために、前記枠（１９）は、その端部において切り欠きを有しており、また、その背面部分では腰領域を含んでいる、請求項１に記載の多機能型移動装置。
【請求項４】
前記上部モジュール（０３）は、管状部材（０４）から構成されるとともに、ユーザーの腕を保持する２つの腕支持部（１４）と、ユーザーの首を保持する首支持部（１５）を備える請求項１に記載の多機能型移動装置。
【請求項５】
２つのより小さい孔を有する、めっきした食事用トレイ（１６）が前記中間モジュール（０２）に取り付け可能で、前記シートは便座ふたの形状に開口した開口部を有し、前記シートはキルティングのシート、又はゆったりした発泡性クッションを有する、請求項１に記載の多機能型移動装置。
【発明の詳細な説明】
【技術分野】
【０００１】
・障害者および寝たきりの人の移動。
【０００２】
・障害者および寝たきりの人のための人間工学および快適性。
【０００３】
・健康と生活の質。
【０００４】
本発明は、多機能型移動装置に関するものである。特には、立位で人を移動させる機能と、ひとつのものだけに座らせて移動させる機能とを組み合わせた多機能型移動装置に関する。そして、これにより障害者および寝たきりの人に対してより快適で、健康的で、質の高い生活を提供する。
【背景技術】
【０００５】
歴史を通じて、社会は健常者とはいかなるものかということについて定義を策定してきた。そして、社会は、肉体的にも精神的にも障害がなく、通常のことであるとみなされるようなことと同程度のことを成せるか否か特に気にすることのない、完全で生産的な人々のみを健常者であるとみなしてきた。
【０００６】
中世（おおよそ５世紀から１５世紀の終わり頃まで）においては、障害を有する人々は、嘲りと恐れという２つの感情で表現されていた。つまり、障害を有する人々は、貴族によって道化師として扱われるような笑いものとみなされたり、または「魔女」や「悪魔」などと同等視されたために恐ろしいものとみなされたりした。そのため、社会からは怪しい目で見られていた。
【０００７】
障害を有する人々に対して前向きな姿勢を示すようになると、紋切り型の社会感情を反映した意味を有する「麻痺患者」、「麻痺した」、「肢体不自由者」、「奇形した」などの単語は「ハンディキャップ」という単語に置き換えられた。そして、より近年では、国連は、全世界的に「障害者」というフレーズを広めている。
【０００８】
障害は、ある人の完全性に影響を及ぼしたり、ある人の移動、動作の調整、話す能力、情報理解力、空間位置感覚または空間認知、および他人との接触などを損なったりする、全て、もしくはいくつかの危険の源となる。
【０００９】
ところで、歩行支持構造体としては、目下のところ、キャスターが提供されており、立って足を移動させることができる人だけが利用できる。それゆえ、対麻痺者、四肢麻痺者、寝たきりの人など、移動したり足へ力を作用させたりすることができない人は、立位でボディバランスを保つことができず、この歩行支持構造体を使って移動することもできない。
【００１０】
また、人が立つことができるその他の既存の装置では、配置転換の形態を有しておらず、ただ、立った姿勢とすることだけが可能となる。さらにまた、人々が乗って移動することができる既存の車椅子は、大きな車輪と足の支えのために拡張された形態となっており、その長さが非常に長くなっている（約１．４０ｍ）。
【００１１】
このため、対麻痺者は、台所用流し台、ストーブ、アイロン台、洋服ダンス、などに接近したり、アクセスしたりすることが困難となる。つまり、従来の車椅子の長さおよび奥行きは、このような場所にアクセスすることを妨げたり、簡単な作業を実施することを妨げたりするからである。また、車椅子が椅子であるということは、人々は、例えば、ずっと座っているなど、使用時のポジションがただ一つに限定されることを意味している。
【００１２】
さらにまた、対麻痺者および四肢麻痺者と診断された人々は、水平位置でベッドに横たわったり、あるいは車椅子に座ったりするルーチンで生活しているということについても言及する必要がある。
【発明の概要】
【００１３】
この生活の不便さの問題を解決するために、本願は開発されており、対麻痺者、四肢麻痺者、寝たきりの人々ではあるが、キャスターまたは装置エンジンを用いて、立位で移動し、いくつかの作業を実施することができるとともに、車椅子およびバスチェアと同様の装置として用いることもできる。
【００１４】
つまり、足および胴体を固定する過程を通して、障害を有する人々は、立った姿勢となることができ、それにより、彼らは、以下に示すような行動を全く制限されることなく移動したり、いくつかの日常の作業を実施したりすることができる。すなわち、人々は、立った姿勢であるため、行動を全く制限されることなく、ストーブや料理に近づいたり、皿を洗うために台所用流し台に手を伸ばしたり、歯を磨くまたは髪を櫛でといたりするために洗面台に手を伸ばしたり、洗濯機に手を伸ばしたり、衣類にアイロンをかけるためにアイロン台に手を伸ばしたり、衣類をハンガーにかけるために洋服ダンスに手を伸ばしたり、より高い場所にある用具をつかんだりすることができる。もしくは、彼ら／彼女らが車椅子などさまざまな装置のうちの１つを利用する場合、彼ら／彼女らはより小さい椅子の上に座ったまま、いろいろな環境、いろいろな家具、ならびにいろいろな家電用品へのアクセスが可能となる。
【００１５】
また、この装置は単一のものであるが、部材と付属品との構成を変更することによって、６つのバリエーションに変化させることができる。つまり、四肢麻痺者を立った姿勢とする装置、対麻痺者を立った姿勢とする装置、対麻痺者を立った姿勢とする装置（簡易なバリエーション）、四肢麻痺者用の車椅子、対麻痺者用の車椅子、バスチェアの６つのバリエーションである。
【００１６】
よって、本願の目的である「多機能型移動装置」によって、従来技術に進歩をもたらすことができる。
【００１７】
また、本願の「多機能型移動装置」の主たる目的は、人々が立った状態でいることを可能とし、これによって、アクセシビリティーや生活の質をより向上させることである。なお、辞書では、「アクセシブル」という単語は、「移動できる、親しみやすく話しやすい、近づきやすい」という意味になる。そして、本願の目的は、障害を有する人々が、家具、家電用品、洋服ダンスなどに手が届いたり、難なく、いわゆる「通常の人」が実施することができる簡単な作業を実施したりすることができるようにすることである。
【００１８】
また、本願の装置は大きな社会的援助活動を提供するものでもある。なぜならば、対麻痺者および四肢麻痺者のみならず、機動性が低下した人々にも有益であるからである。
【００１９】
本願の「多機能型移動装置」の主な利点の一つは、以下の点である。すなわち、立った状態でいるとき、独立した感覚を感じ、他人に対して自由かつ平等に感じる点である。なぜならば、対麻痺者および四肢麻痺者の視点から見た場合、この世界をより低いところからしか見ることができないが、立った状態を維持することができることで長い間、失っていた眺望からこの世界を見ることができるようになるからである。明細書の記述および図面によって、本願の目的である「多機能型移動装置」の機能を説明する。
【００２０】
本願の「多機能型移動装置」の進歩性を示すものとして適用された原理に対する完全な理解のために、本願発明に係る好ましい実施形態を示し、実例する目的で、いくつかの他の付属品の使用とともに、調整、カスタマイズされた適応に対するさまざまな可能性を提供する。
【図面の簡単な説明】
【００２１】
【図１】完全体の装置を示す透視図である。
【図２】より多くの参照符号を付した完全体の装置を示す透視図である。
【図３】上部モジュールを示す透視図である。
【図４】中間モジュールを示す透視図である。
【図５】下部モジュールを示す透視図である。
【図６】下部モジュールと中間モジュールとから構成された装置を示す透視図であり、実施例１として対麻痺者に適応させた使用を示す図である。
【図７】完全体の装置を示す透視図であり、実施例２として四肢麻痺者に適応させた使用を示す図である。
【図８】下部モジュールと中間モジュールとから構成される装置を示す透視図であり、実施例３として頑強でかつよりしっかりした車椅子を示す図である。
【図９】下部モジュールと上部モジュールとから構成される装置を示す透視図であり、実施例４として車椅子に関する別のバリエーションを示す図である。
【図１０】下部モジュールと上部モジュールとから構成される装置を示す透視図であり、実施例５として、シート２１をシート１７に置き換えたバスチェアを示す図である。
【図１１】下部モジュールと上部モジュールとから構成される装置を示す透視図であり、実施例６として、シート１７を取り外すことにより、対麻痺者および寝たきりの人を立った姿勢とすることができる簡易なバージョンへと変えた構成を示す図である。
【図１２】食事用トレイ１６を有する装置を示す透視図である。
【発明を実施するための形態】
【００２２】
上記した図面を参照することにより、本願発明の実施形態に係る詳細な説明を以下に示す。本願発明の実施形態では、図示しないいくつかの付属品を備えていてもよく、それらは本願発明の技術思想の一部として含まれる。本願発明では、特に、同じ技術的機能を実現するいくつかの構成要素を置き換えることができる。
【００２３】
モジュール０１、０２、０３は、基本的には、３、４、またはそれ以上の垂直部材を備えた管状部材０４から構成されていることが好適である。図示された実施例では、前面部分において２つ、背面部分において２つずつ、それぞれ垂直部材が備えられており、これらはスリップ防止円形基部０５上で支持されている。これらの管状部材は、ピン、留め具などを用いた適切な取り付けによる力の作用によって相互に連結され、しっかりと固定される。
【００２４】
下部モジュール０１は、基本的には、管状部材０４から構成されており、ユーザーが立った姿勢を維持できるように、足を支持するためのスリップ防止円形基部０５を備えている。このような構造の底部には、その下方位置に５つのキャスター０６が備えられるとともに、「多機能型移動装置」の配置転換を可能とするように適応された電気推進エンジン０７が備えられている。
【００２５】
下部モジュール０１の上方部分には、管状部材０４の内部において、半円を形成する板０９が配置されている。この板０９には、ひざの支持と固定とを提供するための、２つの小さなキルティングの枠１０を有するストレート形状の板０８が備えられている。
【００２６】
中間モジュール０２は、２つの半円形状板０９Ａ、０９Ｂを有する管状部材０４から構成されている。２つの半円形状板０９Ａ、０９Ｂのうち、第１の半円形状板０９Ａは、腰の安全を確保するように設計されており、第２の半円形状板０９Ｂは、ウエストの安全を確保するように設計されている。また、「多機能型移動装置」の前面部分では、２つの調整付属品２０、２０Ａそれぞれが大腿部と腹部とに合うように設計され、半円形状板０９Ａ、０９Ｂそれぞれに取り付けられている。
【００２７】
また、このような中間モジュール０２のために、安全支持部１３が管状部材０４に固定されているということは予見できることである。
【００２８】
また、この中間モジュール０２では、管状部材０４を含む半円形管１２を備えることも予見できる。この半円形管１２は、ユーザーの両手を支えるように同じように適応されている部分１２Ａを有する。また、この半円形管１２は、また、その背面部分において、この装置を別の人が押すことができるように、下方に向けられた湾曲部１２Ｂを有する。
【００２９】
より良い人間工学に基づく調整を行うために、枠０９、０９Ａ、０９Ｂとは異なり、その背面部分において、半円形状に形成された枠１８を備え、これにより、ユーザーの背中付近、またはそのウエスト周りで、このユーザーの体に合うように調整することができるということもまた予見できるであろう。
【００３０】
さらにまた、この中間モジュール０２用に、より大きな、別の半円形状に形成された枠１９を備えてもよいことも予見できる。すなわち、枠１９は、第２の枠０９Ａに取り付けるために、その端部において切り欠きを有しており、また、その背面部分で腰領域を含んでいる。
【００３１】
多機能型移動装置の上部モジュール０３は、管状部材０４から構成されており、２つの腕支持部１４、首支持部１５を備えている。この上部モジュール０３は、主として、首支持部を有していない四肢麻痺者の腕および首を保持するように適合されている。
【００３２】
３つのモジュール０１、０２、０３をはめ込み、全体として多機能型移動装置を形成する。
【００３３】
また、操作性および機能性をより高めるために、４つ以上の付属品を開発した。すなわち、
−２つのより小さい孔部を有する１つのめっきした食事用トレイ１６、
−便座ふたの形状に開口した開口部を有する１つのシート１７、
−１つのキルティングのシート、またはゆったりした発泡性クッションを備えたシート２１、
−（胴体で用いるための）１つの４点シートベルト、
である。
（様々な使用の実施例）
ここで、本願の目的に応じた、「多機能型移動装置」を使用するための６つのポジションについて以下に説明する。
実施例１：対麻痺者に適合させた使用−モジュール０１とモジュール０２とから構成された多機能型移動装置。
実施例２：四肢麻痺者に適合させた使用−下部モジュール０１、中間モジュール０２、および上部モジュール０３から構成された多機能型移動装置。
実施例３：より頑強で、かつよりしっかりした車椅子に変化させた多機能型移動装置−下部モジュール０１および中間モジュール０２がはめ込まれ、多機能型移動装置の下方部分（下部モジュール０１）の枠０９上に配置されたシート２１を備えており、これにより、中間モジュール０２の２つの枠０９Ａ、０９Ｂがユーザーの胴体および腕を保護する。
実施例４：車椅子の別のバリエーションである：多機能型移動装置の上部モジュール０３を多機能型移動装置の下部モジュール０１に取り付けるとともに、中間モジュール０２をすべて取り除き、クッション性を有するシート２１を配置することによって、多機能型移動装置は、既存の椅子よりもさらに進歩した構成を有するより小さい椅子へと変化する。つまり、ユーザーの座位に伴い、腕支持部１４は手支持部へ、首支持部１５は背部支持部へと変わる。
実施例５：上述したバリエーションの構成に、多機能型移動装置の構成を維持するとともに、シート２１をシート１７に交換することによって、多機能型移動装置は、バスチェアへと変わり、この際、シート１７は便座ふたの形状となるように構成される。
実施例６：上述したバリエーション５の構成に、多機能型移動装置の構成を維持するとともに、シート１７を取り除くことによって、対麻痺者および寝たきりの人が立った姿勢を維持することができる、「多機能型移動装置」の簡易なバージョンへと変化させる。
【００３４】
なお、トレイ１６は、多機能型移動装置の前面部分で、かつ中間部分（中間モジュール０２）の管状部材を越えた領域１２にて支持される場合、食事用トレイとして機能する。また、首支持部１５を配置しない場合であっても、多機能型移動装置の上部部分（上部モジュール０３）を取り付けることによって安全性を確保することができる。
【図１】
0005908889.tif 000002
【図２】
0005908889.tif 000003
【図３】
0005908889.tif 000004
【図４】
0005908889.tif 000005
【図５】
0005908889.tif 000006
【図６】
0005908889.tif 000007
【図７】
0005908889.tif 000008
【図８】
0005908889.tif 000009
【図９】
0005908889.tif 000010
【図１０】
0005908889.tif 000011
【図１１】
0005908889.tif 000012
【図１２】
0005908889.tif 000013